【事件の表示】
　特願２００１−３７３６０１「現金処理端末およびその現金回収方法と現金回収プログラム」拒絶査定不服審判事件〔平成１５年　６月２０日出願公開，特開２００３−１７３４６４〕について，次のとおり審決する。
【結　論】
　本件審判の請求は，成り立たない。
【理　由】
第１　手続の経緯
 本件出願は，平成１３年１２月７日の特許出願であって，同１９年２月２１日付で拒絶の理由が通知され，その指定期間内の同１９年４月２６日付にて意見書と共に明細書について手続補正書が提出されたが，同１９年５月２２日付で拒絶をすべき旨の査定がされ，同１９年６月２８日に本件審判の請求がされ，同日に明細書について手続補正書が提出されたものである。
　
第２　平成１９年６月２８日付の手続補正についての補正却下の決定
［補正却下の決定の結論］
　平成１９年６月２８日付の手続補正を却下する。
　
［理由］
１　補正の内容の概要
　平成１９年６月２８日付の手続補正（以下「本件補正」という。）は，特許請求の範囲について補正をすると共にそれに関連して発明の詳細な説明の一部について補正をするものであって，特許請求の範囲の請求項１について補正前後の記載を補正箇所に下線を付して示すと以下のとおりである。
　
（１）補正前
【請求項１】現金を回収する回収部を有する現金処理端末において，
現金の金種を釣銭用の種銭金種と非種銭金種に区分し，前記非種銭金種の高額金種から順に並べ，該非種銭金種の最下位の次に，前記種銭金種の高額金種から順に並べて金種毎に優先順位を付与し，売上金回収時に前記優先順位の上位の金種から順に売上金に計上する金種毎の抜取枚数を計算し，この金種別抜取枚数を出力することを特徴とする現金処理端末。
　
（２）補正後
【請求項１】現金を回収する回収部を有する現金処理端末において，
現金の金種を
，千円，１００円，１０円および１円からなる
，他の金種からなる
　
２　補正の適否　　　
　本件補正のうち特許請求の範囲の請求項１についてする補正は，「釣銭用の種銭金種と非種銭金種」に関し，釣り銭用の種銭金種を「千円，１００円，１０円および１円からなる」もの，非種銭金種を千円，１００円，１０円および１円以外の「他の金種」からなるものに限定したものであり，これらの補正は，特許請求の範囲の減縮を目的とすることが明らかである。
　そこで，以下，補正後の特許請求の範囲の請求項１に係る発明（以下「本願補正発明」という。）が特許出願の際に独立して特許を受けることができるものであるか否かについて検討する。
　
（１）本願補正発明
　本願補正発明は，本件補正により補正された明細書及び願書に添付した図面の記載からみて，上記１（２）に示す特許請求の範囲の請求項１に記載された事項により特定されるとおりの「現金処理端末」であると認める。
　　
（２）引用例
　これに対して，原査定の拒絶の理由に引用された本件出願前に日本国内において頒布された刊行物である特開平１１−２１３２１３号公報（以下「引用例」という。）の記載内容は以下のとおりである。
　
ア　引用例の記載事項
「【０００１】【発明が属する技術分野】この発明は，金融機関や交通機関の窓口，あるいはスーパーマーケット等の精算所において，貨幣の入出金処理を自動的に行う貨幣入出金機が備えられた貨幣入出金処理システムに関し，特に定額残置運用を行うための改良に関する。」
「【０００５】この貨幣入出金機内部に収納されている貨幣は，・・・あるいは翌日の釣り銭のために予め設定した金種，枚数を機内に釣り銭として残されるか（残置運用と呼称される）していた。」
「【００１１】本発明は・・・残置金額および残置枚数に関する金種毎の優先順位を設定するのみで，釣り銭として残す金種及びその枚数を自動的に演算し，該演算に基づいた定額残置回収を行うようにして，釣り銭の用意や釣り銭装填のための手間を省き，能率の良い残置回収業務を行うようにした貨幣入出金機の定額残置回収装置を提供することを目的とする。」
「【００１５】この場合，前記前記第３の演算手段は，その設定優先順位が高い置換用金種Ｚから設定優先順位が低い置換用金種Ｚに向かって順番に当該被置換用金種Ｙとの金種置換処理を実行し，前記第４の演算手段はその設定優先順位が低い置換用金種Ｚから設定優先順位が高い置換用金種Ｚに向かって順番に当該被置換用金種Ｙとの金種置換処理を実行するようにすれば，残置枚数パターンはより設定された残置優先順位にしたがったものとなる。すなわち，優先順位の高い金種をできる限り多くの枚数，確保（残置）することができるようになる。
【００１６】このようにこの発明では，残置する金額と，残置枚数に関する金種の優先順位さえ予め設定しておけば，所定のアルゴリズムに従って残置する金種およびその枚数を機械が自動的に計算し，この計算結果に従って回収処理が自動的に行われるので，
(1)機内在高の範囲内でほぼ係員または管理者などの希望に沿いかつ翌日の釣り銭不足が発生しにくい残置枚数パターンでの定額残置が可能になる
(2)翌日の釣り銭装填の手間が省けるとともに，金種毎に残高を確認して残置する金種およびその枚数を設定する手間が省け，能率の良い残置回収業務を行うことが可能になる
(3)釣り銭残置額が定額であるため，純粋な売上げ分の回収が可能になる
などの種々の効果を奏する。」
「【００２６】紙幣入出金装置２ａの制御部２１においては，一括一時保留部１３，万円収納部１４，五千円収納部１５，千円収納部１６，出金リジェクト部１７，回収カセット１８内の各貨幣在高（枚数），および紙幣入出金装置２ａ全体としての紙幣在高をそれぞれ記憶する紙幣在高記憶メモリを有しており，制御部２１は紙幣の入出金に応じて該紙幣在高記憶メモリの記憶データを更新記憶している。
【００２７】硬貨入出金装置２ｂの制御部３７においても，一括一時保留部３３，各金種別硬貨収納部３４内の貨幣在高，回収カセット３５内の貨幣在高および硬貨入出金装置２ｂ全体としての硬貨在高をそれぞれ記憶する硬貨在高記憶メモリを有しており，制御部３７は硬貨の入出金に応じて該硬貨在高記憶メモリの記憶データを更新する。
【００２８】これら紙幣在高記憶メモリおよび硬貨在高記憶メモリに記憶されている貨幣在高データは，貨幣管理ターミナル１に逐次報告されるようになっている。
【００２９】貨幣管理ターミナル１は，現金授受の際のデータ管理および貨幣入出金機２の制御等を行うもので，図１にその機能ブロック図を示す。
【００３０】貨幣管理ターミナル１は，操作入力を行うためのキーボード，マウスなど操作入力部４０と，各種操作の案内画面が表示される表示部４１と，貨幣入出金機２と信号授受を行うための通信インターフェース４２と，貨幣在高メモリ４３と，残置金額設定メモリ４４と，残置優先順位設定メモリ４５と，ニアエンプティ設定メモリ４６と，指定枚数残置パターンメモリ４７と，ワークメモリ４８と，これら構成要素を制御する制御部５０とを有して構成されている。」
「【００３５】当該窓口販売システムにおいて，１日の業務終了時などに，貨幣入出金機２内の貨幣を各回収カセット１８，３５に回収し，これら回収カセット１８，３５を貨幣入出金機２から取り外して後方部所の金庫などに持っていく終了業務を行うために，当該窓口販売システムにおいては，次のような３つの回収モードを有しており，回収処理を行わせる際に，これら３つのモードのうちの１つを係員が選択する。・・・
【００３６】・全回収モード…貨幣入出金機２内に収容されている貨幣を全て回収する
・指定枚数残置回収モード…予め貨幣毎に残置枚数を設定し，このモードを選択すれば，この設定残置パターンにしたがった回収が行われる
・定額残置回収モード…残置金額と貨幣毎の優先順位（残置枚数に関する優先順位）とを指定すれば，各貨幣毎の残置枚数が演算によって自動的に決定されて，回収が行われる。
【００３７】残置金額設定メモリ４４は，定額残置回収モードの際の残置金額を設定記憶するもので，業務開始時などに実行される初期登録処理などの際に，担当者によって設定される。
【００３８】残置優先順位設定メモリ４５は，定額残置回収モードの際の残置枚数に関する優先順位が金種毎に設定記憶されるもので，業務開始時などに実行される初期登録処理などの際に，担当者によって設定される。すなわち，この優先順位では，最も多くの枚数を残すことを希望する金種を優先順位の第１番にし，以下これに従って第２番，第３番，…の優先順位を付ける。」
「【００５７】図８は定額残置回収モードでの制御部５０の処理手順を示すもので，図９は図８のフローチャート中のステップ２１０のＹ円置換ルーチンの詳細手順を示すものである。また，図１０は，残置指定金額を２０万円にし，残置優先順位を千円札，１００円硬貨，１０円硬貨，５００円硬貨，５千円札，５０円硬貨，１万円札の順番にした場合の具体例を演算途中の結果も含めて示したものである。」
「【００６０】ここで，例えば，残置処理用演算金額１５４２０円を最小構成枚数の貨幣で構成することを考えた場合，できるだけ高額の貨幣を用い，１万円１枚，５千円１枚，１００円４枚，１０円２枚が真の最小構成枚数となるが，もし１万円札の在高が０枚であった場合は，５千円３枚，１００円４枚，１０円２枚で最小構成枚数を構成する。すなわち，この場合は，残置処理用演算金額を現在の収納部在高によって可能なできるだけ最小の貨幣枚数で構成するようにしている。」
「【００６６】図１０の場合は，定額残置回収モードでの残置指定金額は２０万円で，定額残置回収モードで回収処理を行おうとしたときの収納部在高は２０３５６１０円で，その内訳は，１万円札…１７８枚，５千円札…２５枚，千円札…１０３枚，５００円硬貨…４３枚，１００円硬貨…３７枚，５０円硬貨…２６枚，１０円硬貨…１１１枚，５円硬貨…０枚，１円硬貨…０枚である。
【００６７】また，ニアエンプティ設定枚数として，１万円札…０枚，５千円札…４枚，千円札…４枚，５００円硬貨…４枚，１００円硬貨…４枚，５０円硬貨…４枚，１０円硬貨…４枚，５円硬貨…０枚，１円硬貨…０枚が設定されている。また，残置優先順位は，千円札が第１番であり，以下，１００円硬貨，１０円硬貨，５００円硬貨，５千円札，５０円硬貨，１万円札の順にその優先順位が低くなるように設定されている。
【００６８】したがって，この場合の残置確保最低枚数は，１万円札…０枚，５千円札…５枚，千円札…５枚，５００円硬貨…５枚，１００円硬貨…５枚，５０円硬貨…５枚，１０円硬貨…５枚，５円硬貨…０枚，１円硬貨…０枚となり，その総額すなわち残置確保金額は３３３００円となる。
【００６９】図１０の場合は，収納部在高と残置確保最低枚数の欄を各金種毎に比較すれば判るように，全ての金種においてニアエンプティは発生してはいない。
【００７０】したがって，図１０の場合は，残置指定金額（２０万円）から残置確保金額（３３３００円）を差し引いた１６６７００円が，上記優先順位に従って残置枚数を決定するための総額，すなわち残置処理用演算金額となる。
【００７１】この残置処理用演算金額１６６７００円を可能な限り最小の貨幣構成枚数で構成するための貨幣構成パターン（確保後初期残置枚数パターン）を求めると，１万円札…１６枚，５千円札…１枚，千円札…１枚，５００円硬貨…１枚，１００円硬貨…２枚となる。また，この確保後初期残置枚数パターンに対応する金種内容を残置しさらに前記残置確保最低枚数分を残置しようとした場合に，機内から回収すべき貨幣の内訳は，１万円札…１６２枚，５千円札…１９枚，千円札…９７枚，５００円硬貨…３７枚，１００円硬貨…３０枚，５０円硬貨…２１枚，１０円硬貨…１０６枚，５円硬貨…０枚，１円硬貨…０枚となる。すなわち，この時点において回収すべき貨幣の金種毎の枚数は，確保後初期残置枚数および残置確保最低枚数のうちの大きいほうの値を収納部在高から差し引いた値となる。
【００７２】次に，図８におけるステップ１７０〜ステップ２４０の処理手順について説明する。これらのステップにおいては，残置処理用演算金額を変えることなく最終的にできるだけ残置優先順位競設定メモリ４５に設定された優先順位に従った残置枚数パターンとなるように，先に求られた確保後初期残置パターンを初期状態として，高額紙幣から１つずつ順番に，後述するような金種の置換処理を実行していく。即ち，例えば，図１０のような優先順位が設定された場合は，千円札の残置枚数が１番多く，以下，１００円硬貨，１０円硬貨，５００円硬貨，５千円札，５０円硬貨，１万円札の順にその残置枚数が少なくなるように，高額紙幣から順番に金種の置換処理をしていくことで，残置枚数パターンを順次変化させていく。」
「【０１０２】以上の結果，残置処理用演算金額１６６７００円に対応する最終的な残置枚数パターンは，１万円札…０枚，５千円札…１１枚，千円札…９８枚，５００円硬貨…１９枚，１００円硬貨…３２枚，５０円硬貨…０枚，１０円硬貨…１００枚となる。したがって，残置指定金額２０万円に対応する最終的な残置枚数パターンは，上述のようにして計算した各金種毎の残置枚数に残置確保最低枚数分を加えることによって，１万円札…０枚，５千円札…１６枚，千円札…１０３枚，５００円硬貨…２４枚，１００円硬貨…３７枚，５０円硬貨…５枚，１０円硬貨…１０５枚となる。
【０１０３】よって，最終的な回収パターンは，収納部在高から上記残置指定金額２０万円に対応する残置枚数を差し引くことによって，１万円札…１７８枚，５千円札…９枚，千円札…０枚，５００円硬貨…１９枚，１００円硬貨…０枚，５０円硬貨…２１枚，１０円硬貨…６枚となる。
【０１０４】以上の結果からも判るように，最終的な各金種毎の残置枚数は，ほぼ設定された優先順位に従ったものとなるが，千円札，１００円硬貨，１０円硬貨の残置枚数の比較からも判るように，前記優先順位に完全に一致するものではない。
【０１０５】貨幣管理ターミナル１の制御部５０は，このようにして演算された回収パターンに従って各貨幣の収納部から各貨幣を各回収カセット１８，３５に回収する。したがって，係委員はこれら回収カセット１８，３５を貨幣入出金機２から取り外して，後方部所の金庫などに保管させる。
【０１０６】このようにこの実施形態によれば，残置する金額と，残置枚数に関する金種の優先順位さえ予め設定しておけば，図８および図９に示した所定のアルゴリズムに従って残置する金種およびその枚数を機械が自動的に計算し，この計算結果に従って回収処理が自動的に行われるようにしたので，機内在高の範囲内でほぼ係員または管理者などの希望に沿いかつ翌日の釣り銭不足が発生しにくい残置枚数パターンでの定額残置が可能になる。また，翌日の釣り銭装填の手間が省けるとともに，金種毎に残高を確認して残置する金種およびその枚数を設定する手間が省け，能率の良い残置回収業務を行うことが可能になる。さらに，低額残置回収モードの場合は，釣り銭残置額が定額であるため，純粋な売上げ分の回収が可能になる。」
　また，図10図の左欄「残置確保最低枚数（ニアエンプティ＋１）」と同じ行の右欄には，「ニアエンプティ＋１枚確保　但し，ニアエンプティ枚数が０の金種は，確保不必要　５・１円の残置はなし」と記載され，「万」及び「５」，「１」の欄の値はそれぞれ「０」となっているところ，「5千」，「千」，「500」，「100」，「50」，「10」は残置確保最低枚数がそれぞれ「５」となっている。この記載から，１万円札は，残置する必要がないものであることも記載されていると解される。
　
イ　引用例記載の発明
　上記アの引用例の記載事項及び図４〜図１０より，引用例の貨幣入出金機２は，現金を回収する回収カセット１８，３５を有し，また回収しないで翌日の釣り銭として残置する定額残値回収業務を行うことができるものであり，機内在高の範囲内で係員または管理者などの希望により残置金額と貨幣毎の優先順位を設定すれば，翌日の釣り銭不足が発生しにくい残置枚数パターンを設定することができることが記載されている。また，5千円札，千円札，500円硬貨，100円硬貨，50円硬貨，10円硬貨の金種は残置するが，5円硬貨，１円硬貨の金種は残置しないものとし，１万円札は残置する必要がないものとすることが記載されており，さらにその残値する金種の優先順位は，千円札，100円硬貨，10円硬貨，５００円硬貨，５千円札，５０円硬貨，１万円札の順にすることも記載されている。この金種の順で残置することは，１万円札，５０円硬貨，５千円札，５００円硬貨，10円硬貨，100円硬貨，千円札の優先順位で現金を回収することを意味している。さらに，最終的な回収パターンは，収納部在高から残置指定金額に対応する残置枚数を差し引くことによって求め，１万円札，５千円札，50円硬貨，５００円硬貨，100円硬貨，50円硬貨，10円硬貨の回収枚数を求めて，売上分の回収を行うことが記載されている。また，回収カセット１８，３５内の貨幣残高及び硬貨入出金装置全体の残高を記憶する硬貨残高記憶メモリを有し，硬貨残高記憶メモリの記憶データは，貨幣管理ターミナル１に送られ，その貨幣管理ターミナル１には表示部４１が備えられていることも記載されている。
　そうすると，引用例記載の事項を本願補正発明に照らして整理すると引用例には以下の発明（以下「引用発明」という。）が記載されていると認められる。
「現金を回収する回収カセット１８，３５を有する貨幣入出金機２において，
現金の金種を，残置する金種として千円，１００円，１０円，５００円，５千円及び５０円に，他の残置しない金種として５円及び１円に区分し，金種毎に残置する優先順位を千円，１００円，１０円，５００円，５千円，５０円の順で付与し，売上げ分の回収時にその優先順位の順に金種毎に回収枚数を計算する貨幣入出金機。」
　
（３）対比
　本願補正発明と引用発明とを対比すると以下のとおりである。
　引用発明の「貨幣入出金機２」は，本願補正発明の「現金処理端末」に，同様に，「回収カセット１８，３５」は現金を回収する「回収部」に，「残置する金種」は釣り銭として使用する限りにおいて「釣り銭用の種銭金種」に，「他の残置しない金種」は釣り銭として使用しない限りにおいて「非種銭金種」に，「売上げ分の回収時」は「売上金回収時」に，「回収枚数」は「抜取枚数」に相当することが明らかである。
　したがって，本願補正発明と引用発明とは，以下の点で一致しているということができる。
　
ア　一致点
「現金を回収する回収部を有する現金処理端末において，
現金の金種を，釣り銭用の種銭金種と，非種銭金種に区分し，金種毎に優先順位を付与し，売上金回収時にその優先順位の順に売上金に計上する金種毎の抜取枚数を計算する現金処理端末。」
　そして，本願補正発明と引用発明とは，以下の点で相違している。
　
イ　相違点
（ア）　相違点１　本願補正発明では，釣り銭用の種銭金種を，千円，１００円，１０円および１円からなる金種とし，その他の金種を非種銭金種にして区分し，非種銭金種の高額金種から順に並べ，該非種銭金種の最下位の次に，種銭金種の高額金種から順に並べて金種毎に優先順位を付与し，売上金回収時に優先順位の上位の金種から順に売上金に計上する金種毎の抜取枚数を計算するのに対し，引用発明においては，そのようなものではない点。
（イ）　相違点２　本願補正発明では，計算した金種別抜取枚数を出力するのに対し，引用発明においては，出力するのかどうか不明である点。
　
（４）相違点の検討
ア　相違点１について
　引用発明には，釣り銭用の種銭金種を，千円，１００円，１０円，５００円，５千円及び５０円からなる金種とし，他の５円及び１円を釣り銭として残置せず，また１万円を釣り銭とする必要がない金種として区分し，金種毎に残置する優先順位を千円，１００円，１０円，５００円，５千円，５０円，1万円の順で付与すること，そしてその結果，売上金回収時には，1万円，5千円の金種を優先して回収するよう計算することが記載されていると言える。
　そして，釣り銭用の種銭金種として，頻繁に使用される金種を多く用意すること，すなわち，小額の金銭を取り扱う売り場においては，百円，１０円等の低額の金種を多く用意することは，普通に行われていること（例えば，特開昭５８−１６３８６号公報第5頁左下欄1行〜同頁右下欄5行参照）である。また，１万円札，５千円札，２千円札は釣り銭用として使用頻度は少なく，また，５千円札，２千円札，５００円硬貨，50円硬貨及び５円硬貨は，千円札や１００円硬貨，１０円硬貨，１円硬貨を釣り銭として用意しておくことで代替可能であることは常識であるから，釣り銭として，千円，１００円，１０円及び１円のみを選定して使用することを取り決めることは，格別困難なく行うことができる事項である。
　そうすると，釣り銭の金種として，千円，１００円，１０円及び１円を選定し，それ以外の1万円，５千円及び２千円札と，500円，50円，5円金種は釣り銭の金種に選定せずに区分し，釣り銭の金種に選定しない金種は売上金回収時に回収し，釣り銭の金種は翌運用のために釣り銭用の種銭として現金処理端末に残すことは，当業者が適宜採用することができた事項である。
　したがって，引用発明は，売上金回収の際に，1万円や5千円札の高額金種から回収するものでもあるから，釣銭用の種銭金種を，千円，１００円，１０円および１円とし，その他の金種を非種銭金種に選定して区分し，非種銭金種の高額金種から順に並べ，該非種銭金種の最下位の次に，種銭金種の高額金種から順に並べて金種毎に優先順位を付与し，売上金回収時に優先順位の上位の金種から順に売上金に計上する金種毎の抜取枚数を計算することは，当業者が引用発明及び従来周知の事項に基づいて容易に想到することができた事項である。
　
イ　相違点２について
　現金処理端末の技術分野において，売上金に関する情報を出力することは，従来周知の事項であり，上記したように，引用発明には，売上げ分の回収時における金種毎の回収枚数を計算することも記載されているのであるから，その計算した金種別抜取枚数を出力することは，当業者が必要に応じて容易になし得たことである。
　そして，本願補正発明によってもたらされる効果も，引用発明及び上記従来周知の事項から当業者であれば予測できる程度のものであって格別のものではない。
　したがって，本願補正発明は，引用発明及び上記従来周知の事項に基づいて当業者が容易に発明をすることができたものであるから，特許法第２９条第２項の規定により特許出願の際独立して特許を受けることができないものである。
　
　なお，請求人は，回答書において，「本願発明は，・・・釣銭用の種銭金種のいずれかの金種の枚数を多く残すようにするのではなく，千円，１００円，１０円および１円を釣銭用の種銭金種として設定した金種の金種毎の枚数を極力多く残すために，非種銭金種として区分した金種の高額金種から順に並べ，その下に，種銭金種として区分した高額金種から順に並べて金種毎に付与された優先順位であり，その優先順位の上位の金種から順に（非種銭金種の高額金種から順に），売上金に計上する金種毎の抜取枚数を計算するものですので，釣銭とする種銭の具体的な金種，優先順位の具体的な並べ方，その優先順位に従って売上金に計上する金種毎の抜取枚数を計算する手順が，記載されていない引用文献１ないし引用文献４を組合せたとしても，本願発明に想到することはできません。」と主張している。
　しかしながら，上記「ア　相違点１について」において示したように，千円，１００円，１０円および１円を釣銭用の種銭金種に設定することは，当業者が適宜採用することができた事項であり，それらの金種の枚数を極力多く残すために，種銭金種として区分した高額金種から順に並べるよう優先順位を付与することは，当業者が引用発明に基づいて容易に想到することができた事項である。
　
３　むすび
　よって，本件補正は，平成１８年法律第５５号改正附則第３条第１項によりなお従前の例によるとされる同法による改正前の特許法第１７条の２第５項において準用する同法第１２６条第５項の規定に違反するので，同法第１５９条第１項において読み替えて準用する同法第５３条第１項の規定により却下すべきものである。
　
第３　本願発明について
　
１　本願発明
　本件補正は，上記のとおり却下されたので，本願出願の請求項に係る発明は，平成１９年４月２６日付手続補正書により補正された明細書及び願書に添付した図面の記載からみて，その特許請求の範囲の請求項１に記載された事項により特定されるとおりのものであると認められるところ，請求項１に係る発明（以下「本願発明」という。）は，上記第２の１（１）に示す特許請求の範囲の請求項１に記載されたとおりの「現金処理端末」である。
　
２　引用例
　これに対して，原査定の拒絶の理由に引用された刊行物及びその記載内容は，上記第２の２（２）に示したとおりである。
　
３　対比・検討
　本願出願の発明は，上記第２の２で検討した本願補正発明から，実質的に，「釣銭用の種銭金種と非種銭金種」に関し，釣り銭用の種銭金種については「千円，１００円，１０円および１円からなる」事項を削除し，非種銭金種については「他の金種からなる」事項を削除したものである。
　
　そうすると，本願発明を構成する事項の全てを含み，さらに他の事項を付加する本願補正発明が上記第２の２（４）末尾で示したとおり，引用発明及び従来周知の事項に基づいて当業者が容易に発明をすることができたものであるから，本願発明も同様の理由により当業者が容易に発明をすることができたものである。
　
４　むすび
　したがって，本願出願の発明は，特許法第２９条第２項の規定により特許を受けることができない。
　よって，本願出願は拒絶されるべきであるから，結論のとおり審決する。